(57)【要約】【課題】操作釦の誤操作が防止され且つ製造コストの低い飲料供給装置を提供する。【解決手段】収容された飲料を販売する販売機構部と、販売機構部に収容された飲料を販売するための操作釦と、販売機構部に収容された飲料に関する情報を表示する表示部と、を有する飲料供給装置において、操作釦を、販売機構部に収容された飲料を販売するための釦、又は、表示部に表示される情報を設定するための釦に切り換えるための切換手段を、備えたことを特徴とする飲料供給装置。【選択図】        図３
2004331120.tif 000002
【特許請求の範囲】
【請求項１】
収容された飲料を販売する販売機構部と、当該販売機構部に収容された飲料を販売するための操作釦と、当該販売機構部に収容された飲料に関する情報を表示する表示部と、を有する飲料供給装置において、
前記操作釦を、前記販売機構部に収容された飲料を販売するための釦、又は、前記表示部に表示される情報を設定するための釦に切り換えるための切換手段を、
備えたことを特徴とする飲料供給装置。
【請求項２】
前記操作釦は、前記切換手段によって、前記表示部に表示される情報を設定するための釦とされているとき、前記販売機構に収容される飲料の残量又は補充量に関する情報を設定するための釦であることを特徴とする請求項１記載の飲料供給装置。
【請求項３】
前記販売機構に収容された飲料の残量に関する情報を記憶する記憶部を有し、
前記操作釦は、前記切換手段によって、前記表示部に表示される情報を設定するための釦とされているとき、前記記憶部から読み出される前記飲料の残量に関する情報を起点として当該表示部に表示される情報を設定するための釦であることを特徴とする請求項１又は２記載の飲料供給装置。
【請求項４】
前記販売機構に収容される飲料の所定量に関する情報を記憶する記憶部を有し、
前記操作釦は、前記切換手段によって、前記表示部に表示される情報を設定するための釦とされているとき、前記記憶部から読み出される前記飲料の所定量に関する情報を起点として当該表示部に表示される情報を設定するための釦であることを特徴とする請求項１又は２記載の飲料供給装置。
【請求項５】
前記操作釦が、前記販売機構部に収容された飲料を販売するための釦、又は、前記表示部に表示される情報を設定するための釦の何れであるかを識別するための識別部を、備えたことを特徴とする請求項１乃至４の何れかに記載の飲料供給装置。
【発明の詳細な説明】
【０００１】
【発明の属する技術分野】
本発明は、プレミックスされた飲料等をカップ等に販売するのに好適な飲料供給装置に関する。
【０００２】
【従来の技術】
最近、例えば、ファーストフード店等において業務用としてカップ毎に飲料を販売する飲料供給装置が使用されている。特に、予め調理された飲料を冷却又は加温しつつ収容し、そのままカップへ送出するプレミックス方式の飲料供給装置には、その正面のパネル等において販売毎に当該収容する飲料の残量を表示するものがある。このような残量表示は、特に、飲料を収容するタンクが例えばステンレススチール製であることにより飲料の液面を目視できない飲料供給装置にとって、より重要となる。ここで、飲料の残量情報は、当該飲料供給装置のメインテナンス等をあずかる利用者（例えば、店員）が飲料の補充の要否を判断するときに重要である。
【０００３】
従来の飲料供給装置は、例えば、以下のようにして飲料の残量を表示していた。例えば収容できる総量が３リットルのスープを、販売釦の押下により例えば０．２リットル単位（Ｓサイズ用）又は例えば０．３リットル単位（Ｌサイズ用）で定量販売する飲料供給装置について考える。図７は、このような飲料供給装置の正面の一例を示す図である。図７に示されるように、飲料供給装置５２は、例えば、操作パネル５４において、設定釦５６ａ、５６ｂ、販売釦５８ａ、５８ｂ、及びスープの残量を液晶等にて表示する表示部６０を備えているものとする。
【０００４】
次に、操作パネル５４の機能の概略を述べる。飲料供給装置５２に対して、例えば店員が最初に３リットルのスープをタンクに充填したときに、当該店員は操作パネル５４における設定釦５６ａ、５６ｂによりスープの満杯量を設定する。具体的には、設定釦５６ａの押下毎に、表示部６０に表示される数字が例えば０．１ずつ減算され、設定釦５６ｂの押下毎に、表示部６０に表示される数字が例えば０．１ずつ加算されるものとする。店員がこのような設定釦５６ａ、５６ｂを適宜押下することによって、表示部６０にスープの満杯量（リットル単位）である「３．０」を表示できる。
【０００５】
例えば、店員が、図７に示される販売釦５８ａ（Ｓサイズ用）を押下すると、ノズル６２から０．２リットルのスープがカップ６４に販売される。このとき、表示部６０に表示されていたスープの残量（リットル単位）は、「３．０」から当該販売量だけ減算されて、「２．８」と表示される。次に、例えば店員が図７に示される販売釦５８ｂ（Ｌサイズ用）を押下すると、ノズル６２から０．３リットルのスープがカップ６４に販売され、表示部６０に表示されていたスープの残量（リットル単位）は、前記の「２．８」から当該販売量だけ減算されて「２．５」と表示される。このようにして、従来の飲料供給装置５２においては、スープの補充と、当該スープの満杯量の設定とが正しく行なわれれば、たとえタンクの内部が目視できなくても、当該スープの残量を知ることができた。
【０００６】
【特許文献１】
特開平５−１１２３９４号公報
【０００７】
【発明が解決しようとする課題】
しかしながら、従来の飲料供給装置においては、前述したように、例えば図７に示される販売釦５８ａ、５８ｂといった飲料を販売するための操作釦と、例えば図７に示される設定釦５６ａ、５６ｂといった飲料に関する情報を設定するための操作釦が共存していた。この場合、当該２種類の操作釦等から構成される操作パネル５４が複雑となり、また、当該２種類の操作釦の操作は煩雑となる。よって、誤操作の恐れが生ずる。
【０００８】
特に図７に示される飲料供給装置５２においては、設定釦５６ａ、５６ｂ、及び販売釦５８ａ、５８ｂともに、表示部６０にて表示されるスープの満杯量及び残量を確認しつつ押下することがしばしばである。よって、設定釦５６ａ、５６ｂ、及び販売釦５８ａ、５８ｂは、同一の操作パネル５４に設けられることが好ましい。この場合、飲料供給装置５２が主にスープの販売動作状態（通常モード）にあるときでも、誤って当該販売とは無関係である設定釦５６ａ、５６ｂを押下する恐れがある。通常モード時に、もし設定釦５６ａを押下すれば、スープを販売していないにもかかわらず表示部に表示されているスープの残量が０．１（リットル単位）だけ減少してしまう。同様に、設定釦６ｂの誤操作によりスープの残量は０．１（リットル単位）だけ増加してしまう。これにより、通常モード時におけるスープの残量が不正確なものとなる。
【０００９】
また、例えば図７に示される販売釦５８ａ、５８ｂは必須であるとしても、スープの満杯量を設定する状態（設定モード）のためだけに別個に設定釦５６ａ、５６ｂを設けることにより、飲料供給装置５２の製造コストが設定釦５６ａ、５６ｂの分だけ高くなる。よって、一般に、飲料供給装置が高価なものとなる。
【００１０】
そこで、本発明は、操作釦の誤操作が防止され且つ製造コストの低い飲料供給装置を提供することを目的とする。
【００１１】
【課題を解決するための手段】
前記課題を解決するための発明は、収容された飲料を販売する販売機構部と、当該販売機構部に収容された飲料を販売するための操作釦と、当該販売機構部に収容された飲料に関する情報を表示する表示部と、を有する飲料供給装置において、前記操作釦を、前記販売機構部に収容された飲料を販売するための釦、又は、前記表示部に表示される情報を設定するための釦に切り換えるための切換手段を、備えたことを特徴とする。
【００１２】
前記飲料供給装置によれば、例えば、利用者が飲料の販売のために操作釦を押下するとき、当該操作釦が切換手段によって情報の設定のための釦から飲料の販売のための釦に切り換えられていれば、当該利用者によって誤って当該情報の設定が行なわれることを防止できる。よって、操作釦の誤操作を防止できる。また、切換手段によって、操作釦を２通りの釦に切り換えて使用できるために、飲料供給装置の釦の総数を削減できる。よって、飲料供給装置の製造コストを削減でき、飲料供給装置が安価なものとなる。
【００１３】
また、前記操作釦は、前記切換手段によって、前記表示部に表示される情報を設定するための釦とされているとき、前記販売機構に収容される飲料の残量又は補充量に関する情報を設定するための釦であることを特徴とする。ここで、前記販売機構に収容された飲料の残量に関する情報を記憶する記憶部を有し、前記操作釦は、前記切換手段によって、前記表示部に表示される情報を設定するための釦とされているとき、前記記憶部から読み出される前記飲料の残量に関する情報を起点として当該表示部に表示される情報を設定するための釦であることが好ましい。また、前記販売機構に収容される飲料の所定量に関する情報を記憶する記憶部を有し、前記操作釦は、前記切換手段によって、前記表示部に表示される情報を設定するための釦とされているとき、前記記憶部から読み出される前記飲料の所定量に関する情報を起点として当該表示部に表示される情報を設定するための釦であることが好ましい。
【００１４】
前記飲料供給装置によれば、もし販売機構に収容される飲料の残量又は補充量に関する情報を設定するとき、当該飲料の残量又は補充量に近い残量又は所定量を記憶部から読み出し、当該残量又は所定量を起点とできる。これにより設定が容易となる。
【００１５】
また、前記操作釦が、前記販売機構部に収容された飲料を販売するための釦、又は、前記表示部に表示される情報を設定するための釦の何れであるかを識別するための識別部を、備えたことを特徴とする。
前記飲料供給装置によれば、操作釦の誤操作をより防止できる。
【００１６】
【発明の実施の形態】
＝＝＝飲料供給装置の概要＝＝＝
本明細書及び添付図面の記載により、少なくとも以下の事項が明らかとなる。
【００１７】
図１において、本実施の形態の飲料供給装置の正面図の一例を説明する。本実施の形態の飲料供給装置２は、例えばファーストフード店において業務用としてカップ１４毎に例えばスープ（飲料）を販売するものとする。また、本実施の形態の飲料供給装置２は、例えば、予め調理されたスープを適宜な加温装置（不図示）により加温しつつタンク２０（図２）に収容し、そのままカップ１４へ送出するプレミックス方式によって当該スープを販売するものとする。
【００１８】
図１に示されるように、飲料供給装置２は、例えば、操作パネル４において、操作釦６ａ、６ｂと、設定切換釦８と、ＬＥＤ９ｅ（識別部）と、液晶部１０（表示部）とを有する。更に、操作釦６ａはＬＥＤ９ａ、９ｃ（識別部）を有し、操作釦６ｂはＬＥＤ９ｂ、９ｄ（識別部）を有する。ここで、操作釦６ａ、６ｂは、後述するように、スープを販売するための釦、又は、スープに関する情報を設定するための釦である。設定切換釦８は、後述するように、操作釦６ａ、６ｂを前記の２つの釦に切り換えるものである。ＬＥＤ９ａ、９ｂ、９ｃ、９ｄ、９ｅは、操作釦６ａ、６ｂがスープを販売するための釦のとき点灯又は消灯し、スープに関する情報を設定するための釦のとき点灯又は消灯するものである。液晶部１０は、後述するように、スープ量を表示するものである。尚、本実施の形態においては、図１に示されるように、ＬＥＤ９ａ、９ｃは操作釦６ａ内に設けられ、ＬＥＤ９ｂ、９ｄは操作釦６ｂ内に設けられるとしたが、これに限定されるものではない。例えば、ＬＥＤ９ａ、９ｃは操作釦６ａの周囲に設けられ、ＬＥＤ９ｂ、９ｄは操作釦６ｂの周囲に設けられてもよい。要は、ＬＥＤ９ａ、９ｃが操作釦６ａに対応し、ＬＥＤ９ｂ、９ｄが操作釦６ｂに対応することを、例えば店員が認識できるような配置であれば、ＬＥＤ９ａ、９ｂ、９ｃ、９ｄと操作釦６ａ、６ｂとはいかなる配置をとってもよい。また、本実施の形態においては、図１に示されるように、ＬＥＤ９ｅは設定切換釦８の周囲に設けられているが、これに限定されるものではなく、例えば、ＬＥＤ９ｅは設定切換釦８内に設けられてもよい。要は、ＬＥＤ９ｅが設定切換釦８に対応することを、例えば店員が認識できるような配置であれば、ＬＥＤ９ｅと設定切換釦８とはいかなる配置をとってもよい。
【００１９】
図１に示される操作パネル４の有する釦の総数は３個であり、図７に示される従来の飲料供給装置５２の操作パネル５４の有する釦の総数である４個に比べて１個少ない。よって、同程度の動作を保持しつつも、必要な釦の数の少ない本実施の形態の飲料供給装置２は、従来の場合に比べて製造コストを低くできる。従って、本実施の形態の飲料供給装置２は、より安価なものとなる。
【００２０】
尚、本実施の形態の飲料供給装置２は、スープのみを販売するものであるが、これに限定されるものではない。例えば、複数種類の飲料を販売し、当該飲料毎に操作釦６ａ、６ｂ、及び設定切換釦８が設けられてもよい。もし、本実施の形態の飲料供給装置２を、３種類の飲料を販売できる飲料供給装置に拡張したとき、釦の総数は９個となる。これに対して、図７に示される従来の飲料供給装置５２を、３種類の飲料を販売できる飲料供給装置に拡張したとき、釦の総数は１２個となる。このように、操作釦の数が増えるほど、本実施の形態と従来の場合とにおける釦の総数の差は大きくなる傾向にあり、本実施の形態の飲料供給装置の製造コストはより低くなり、よって、本実施の形態の飲料供給装置はより安価になる。
【００２１】
また、本実施の形態における操作パネル４は、飲料供給装置２の正面に設けられているが、これに限定されるものではない。操作パネル４は、例えば、飲料供給装置２の飲料を収容するタンク２０（図２）の近傍に設けられていてもよい。
【００２２】
図２において、本実施の形態の飲料供給装置２の販売機構（販売機構部）の一例を説明する。
【００２３】
図２に示されるように、タンク２０はスープを収容するものである。本実施の形態のタンク２０は、例えばステンレススチール製とする。ステンレススチール製とすることにより、タンク２０は耐熱性を有し、高温のスープを収容できる。また、熱湯等によってタンク２０の内壁を殺菌することが容易となる。但し、タンク２０内部のスープの液面をタンク２０外部から目視によって確認することはできない。
【００２４】
ポンプ２２は、ポンプモータ２４の駆動力を用いて、電磁弁２６ａの出口からスープを一定量ずつ下流側に放出するものである。この電磁弁２６ａは、タンク２０とポンプ２２との間に配設され、後述する制御部２００（図３）から出力される制御信号に基づいて開放又は遮断されるものである。ポンプ２２の出口からのスープは、電磁弁２６ｂを介してスープ供給ライン３０に供給され、この電磁弁２６ｂも、後述する制御部２００（図３）から出力される制御信号に基づいて開放又は遮断されるものである。ノズル１２は、スープ供給ライン３０の最下流端に設けられ、当該ノズル１２を通じてスープがカップ１４に販売される。
【００２５】
尚、本実施の形態の販売機構においては、スープ供給ライン３０中のスープをポンプ２２によって搬送しているが、これに限定されるものではない。例えば、タンク２０からノズル１２までが鉛直方向に配設され、飲料が低濃度シロップ飲料等の粘性の低いものであれば、ポンプ２２及びポンプモータ２４がなくても、当該飲料の重力落下により当該飲料をカップ１４に販売できる。
【００２６】
図２に示される販売機構は、後述するように、電磁弁２６ａ、２６ｂの開放時間、及びポンプモータ２４の運転時間をそれぞれ制御することによって、スープの販売量を調整するものである。このとき、前記の開放時間及び運転時間は、タイマ（不図示）によって計時される。
【００２７】
＝＝＝操作釦切換手段の構成＝＝＝
図３において、本実施の形態の飲料供給装置２の操作釦切換手段（切換手段）の一例を説明する。図３は、本実施の形態の操作釦切換手段の構成例を示すブロック図である。尚、図３は、主として後述する操作釦切換手段の動作を説明するためのものであるため、販売機構２０４において、電磁弁２６ａ、２６ｂ、及びポンプモータ２４が省略されている。
【００２８】
図３における制御部２００は、設定切換釦８の状態がオン又はオフであることを検出し、また、操作釦６ａ、６ｂの状態がオン又はオフであることを検出し、ＬＥＤ９ａ，９ｂ，９ｃ，９ｄ，９ｅの点灯又は消灯を制御し、液晶部１０におけるスープ量の表示を制御し、販売機構２０４における電磁弁２６ａ、２６ｂの開閉、並びにポンプモータ２４の運転の開始又は停止を制御するものである。このような制御部２００の動作は、ＲＯＭ２０２ａに記憶された適宜なプログラムに基づいて行なわれる。また、ＲＡＭ２０２ｂ（記憶部）は、後述するスープ量に関する制御部２００による演算結果を記憶するためのものである。
【００２９】
ハードウェア面では、ＲＯＭ２０２ａは、データを製造工程で焼き付け固定するマスクＲＯＭ、データを紫外線消去することによりデータを繰り返し書き込み読み出しできるＥＰＲＯＭ、又はデータを電気消去することによりデータを繰り返し書き込み読み出しできるＥＥＰＲＯＭ（フラッシュＲＯＭを含む）等の不揮発性メモリである。ＲＡＭ２０２ｂは、ＳＲＡＭ等の揮発性メモリであり、バックアップ電源を用いてデータを保持する。また、ＲＡＭ２０２ｂには、より一層の信頼性をもって後述するスープ量に関する情報を保持するために、ＥＥＰＲＯＭ等のバックアップ電源が不要な不揮発性メモリを用いてもよい。
【００３０】
図３に示されるように、前述した設定切換釦８、及び操作釦６ａ、６ｂは、具体的には、制御部２００に対して、Ｉ／Ｏポート２０６を介して、オン状態のとき例えば０Ｖの電圧を印加するものである。本実施の形態の設定切換釦８、及び操作釦６ａ、６ｂは、押下時にのみ前記の０Ｖの回路が接続され、押下されていないときには前記の回路が遮断されるようなスイッチであるとする。よって、設定切換釦８、及び操作釦６ａ、６ｂが１度押下されると、Ｉ／Ｏポート２０６から制御部２００に０Ｖの信号が１度入力されることとなる。
【００３１】
図３に示されるように、ＬＥＤ９ａ、９ｂ、９ｃ、９ｄ、９ｅのアノードには２４Ｖの電圧が印加されている。制御部２００からの制御信号に応じてＩ／Ｏポート２０６及びドライバ２０８ａ、２０８ｂ、２０８ｃ、２０８ｄ、２０８ｅを介して、ＬＥＤ９ａ、９ｂ、９ｃ、９ｄ、９ｅが点灯又は消灯する。
【００３２】
図３に示されるように、液晶部１０には２４Ｖが電源電圧として印加されている。制御部２００からの制御信号に応じてＩ／Ｏポート２０６及びドライバ２１０を介して、液晶部１０における液晶の配向が変化する。本実施の形態の液晶部１０は、当該制御信号に応じて、０乃至９からなる２桁の数字及び小数点を表示できるものとする。
【００３３】
＝＝＝操作釦切換手段の動作＝＝＝
図４において、本実施の形態の飲料供給装置２の操作釦切換手段の動作の一例を説明する。図４は、本実施の形態の飲料供給装置２の操作釦切換手段の動作例を示すフローチャートである。
【００３４】
＜＜＜設定モード＞＞＞
制御部２００は、設定切換釦８の状態のオン又はオフを適時監視している（Ｓ１００）。設定切換釦８が押下されて、設定切換釦８の状態のオンが判別されると（Ｓ１００：ＹＥＳ）、前述した操作釦切換手段により、飲料供給装置２はスープ量を設定する状態（設定モード）となる。具体的には、設定切換釦８が押下されると、図３に示されるＩ／Ｏポート２０６を介して制御部２００に０Ｖの電圧からなる信号が入力される。
【００３５】
前記の０Ｖの信号を受信した制御部２００は、ドライバ２０８ａ、２０８ｂ、２０８ｃ、２０８ｄ、２０８ｅを介して、ＬＥＤ９ａ、９ｂ、９ｅを点灯させる制御信号を出力し、後述する通常モードにおいて既に点灯していたＬＥＤ９ｃ、９ｄを消灯させる制御信号を出力する（Ｓ１０２）。ＲＯＭ２０２ａに記憶された適宜なプログラムにより、後述する操作釦６ａ、６ｂは、スープの残量に例えば０．１（リットル単位）を加減処理する所謂設定釦として機能することとなる。
【００３６】
前記の０Ｖの信号を受信した制御部２００は、ＲＡＭ２０２ｂに記憶されている後述するスープの残量（例えば０．５）を読み出して、当該残量に対応する制御信号を、ドライバ２１０を介して液晶部１０に出力する（Ｓ１０４）。液晶部１０は前記の残量を表示する。
【００３７】
図５（ａ）に示されるように、ステップＳ１０４において、操作パネル４の設定切換釦８の上部に設けられたＬＥＤ９ｅは点灯している。例えば店員は、この点灯によって、飲料供給装置２は設定モードにあることが識別できる。また、操作パネル４の操作釦６ａに設けられた下向きの矢印の形状をなすＬＥＤ９ａの点灯により、店員は、操作釦６ａが液晶部１０に表示されている「０．５」から減算する設定釦であることを識別できる。更に、操作パネル４の操作釦６ｂに設けられた上向きの矢印の形状をなすＬＥＤ９ｂの点灯により、店員は、操作釦６ｂが液晶部１０に表示されている「０．５」に加算する設定釦であることを識別できる。これにより、店員が、操作釦６ａ、６ｂを後述する販売釦と誤認して、誤操作することが防止できる。よって、スープの残量等の設定が正確となる。
【００３８】
制御部２００は、操作釦６ａの状態のオン又はオフを適時監視している（Ｓ１０６）。操作釦６ａが押下されず、操作釦６ａの状態がオフであると判別されると（Ｓ１０６：ＮＯ）、操作釦６ｂの状態のオン又はオフの判別が行なわれる（Ｓ１１０）。ここで、操作釦６ｂも押下されず、操作釦６ｂの状態がオフであると判別されると（Ｓ１１０：ＮＯ）、ステップＳ１０６に戻って、制御部２００は、操作釦６ａの状態のオン又はオフの監視を開始する。尚、ステップＳ１０６（ＮＯ）からステップＳ１１０（ＮＯ）に至る制御部２００の動作は、当該制御部２００が、店員等による操作釦６ａ、６ｂの押下を待機している動作に等しい。
【００３９】
ステップＳ１１０において、操作釦６ｂが押下されて、操作釦６ｂの状態のオンが判別されると（Ｓ１１０：ＹＥＳ）、液晶部１０に表示されている現データ「０．５」に０．１（リットル単位）が加算される（Ｓ１１０）。具体的には、操作釦６ｂが押下されると、図３に示されるＩ／Ｏポート２０６を介して制御部２００に０Ｖの電圧からなる信号が入力される。この０Ｖの信号を受信した制御部２００は、ＲＯＭ２０２ａに記憶された適宜なプログラムに基づいて、ＲＡＭ２０２ｂに記憶されている現データ「０．５」に０．１（リットル単位）を加算する。制御部２００は、加算によって得たデータ０．６（＝０．５＋０．１）をＲＡＭ２０２ｂに書き込むとともに、ドライバ２１０を介して、液晶部１０に表示させる制御信号を出力する。これらの動作は、操作釦６ｂの押下毎に行なわれる。即ち、操作釦６ｂの押下毎に、「０．５」に対して０．１（リットル単位）だけ加算されるとともに、当該加算されて得たデータがＲＡＭ２０２ｂに記憶される。
【００４０】
設定切換釦８の状態のオン又はオフの判別が行なわれ（Ｓ１１４）、ここで、設定切換釦８が押下されず、設定切換釦８の状態がオフであると判別されると（Ｓ１１４：ＮＯ）、ステップＳ１０６に戻って、制御部２００は、操作釦６ａの状態のオン又はオフの監視を開始する。
【００４１】
店員が操作釦６ｂのみを例えば２５回押下することによって、ステップＳ１０６、Ｓ１１０、Ｓ１１２、Ｓ１１４（ＮＯ）からなる一連の処理が２５回繰り返される。これにより、スープの残量「０．５」に０．１（リットル単位）が２５回分加算されて、タンク２０におけるスープの満杯量「３．０」が設定される。この満杯量「３．０」もＲＡＭ２０２ｂに記憶される。
【００４２】
前述と同様に、ステップＳ１０６において、操作釦６ａが押下されて、操作釦６ａの状態がオンであると判別されると（Ｓ１０６：ＹＥＳ）、液晶部１０に表示されている現データから０．１（リットル単位）が減算される（Ｓ１０８）。操作釦６ａ、６ｂを適宜押下することによって、店員は、０．０乃至９．９における所望の量を液晶部１０に表示させることができ、当該量は記憶部２０２ｂに記憶される。
【００４３】
店員は、所望の量の設定が終了すると、ステップＳ１１４において設定切換釦８を押下する。制御部２００は、設定切換釦８の状態がオンであることを判別し（Ｓ１１４：ＹＥＳ）、ステップＳ１００に戻って、設定切換釦８の状態のオン又はオフの監視を再度開始する。
【００４４】
尚、本実施の形態においては、ステップＳ１０８及びＳ１１２における加減処理の刻みを０．１（リットル単位）としたが、これに限定されるものではない。所望の量を設定できるような刻みであればいかなるものでもよい。例えば、後述するスープの販売量としての０．２（リットル単位）又は０．３（リットル単位）としてもよい。
【００４５】
＜＜＜通常モード＞＞＞
前述した設定モードのステップＳ１１４において、設定切換釦８が押下されて、設定切換釦８の状態のオンが判別され（Ｓ１１４：ＹＥＳ）、その後、ステップＳ１００において、設定切換釦８が押下されず、設定切換釦８の状態のオフが判別されると（Ｓ１００：ＮＯ）、前述した操作釦切換手段により、飲料供給装置２はスープを販売する状態（通常モード）となる。
【００４６】
制御部２００は、ドライバ２０８ａ、２０８ｂ、２０８ｃ、２０８ｄ、２０８ｅを介して、ＬＥＤ９ｃ、９ｄを点灯させる制御信号を出力し、前述した設定モードにおいて既に点灯していたＬＥＤ９ａ、９ｂ、９ｅを消灯させる制御信号を出力する（Ｓ１１６）。
【００４７】
ＲＯＭ２０２ａに記憶された適宜なプログラムにより、操作釦６ａ、６ｂは、販売機構２０４を制御してＳサイズ又はＬサイズのスープを販売させるとともに、前述した設定モードにおいて設定されたスープの満杯量「３．０」を当該販売に応じて減算処理する所謂販売釦として機能することとなる。ここで、前述した設定モードにおいては、スープの満杯量を設定したが、これに限定されるものではない。例えば、店員がタンク２０に補充したスープの量（補充量）を設定し、ステップＳ１１４において設定切換釦８を押下すると、液晶部１０に当該補充量と残量との合計を表示させ、ＲＡＭ２０２ｂに当該合計を記憶させることとしてもよい。具体的には、補充量として２．５（リットル単位）が設定されると、制御部２００において、ＲＡＭ２０２ｂに記憶された残量「０．５」が読み出されて当該２．５（リットル単位）に加算され、「３．０（＝２．５＋０．５）」とされる。このような演算処理は、ＲＯＭ２０２ａに記憶された適宜なプログラムによって実行される。
【００４８】
図５（ｂ）に示されるように、ステップＳ１１６において、操作パネル４の設定切換釦８の上部に設けられたＬＥＤ９ｅは消灯している。例えば店員は、ＬＥＤ９ｅが点灯していないことによって、飲料供給装置２は通常モードにあることが識別できる。また、操作パネル４の操作釦６ａ、６ｂに設けられたＬＥＤ９ｃ、９ｄの点灯により、店員は、操作釦６ａ、６ｂが販売釦であることを識別できる。これにより、店員が、操作釦６ａ、６ｂを前述した設定釦と誤認して、誤操作することが防止できる。よって、スープの残量等の設定が正確となる。
【００４９】
制御部２００は、操作釦６ａの状態のオン又はオフを適時監視している（Ｓ１１８）。操作釦６ａが押下されず、操作釦６ａの状態がオフであると判別されると（Ｓ１１８：ＮＯ）、操作釦６ｂの状態のオン又はオフの判別が行なわれる（Ｓ１２２）。ここで、操作釦６ｂも押下されず、操作釦６ｂの状態がオフであると判別されると（Ｓ１２２：ＮＯ）、ステップＳ１００に戻って、制御部２００は、設定切換釦８の状態のオン又はオフの監視を開始する。尚、ステップＳ１１８（ＮＯ）からステップＳ１２２（ＮＯ）に至る制御部２００の動作は、当該制御部２００が、店員等による操作釦６ａ、６ｂの押下を待機している動作に等しい。
【００５０】
ステップＳ１２２において、操作釦６ｂが押下されて、操作釦６ｂの状態のオンが判別されると（Ｓ１２２：ＹＥＳ）、制御部２００は、販売機構２０４を制御して、当該販売機構２０４にＬサイズに相当する例えば０．３リットルのスープを販売させる。これとともに、制御部２００は、液晶部１０に表示されている現データ「３．０」からＬサイズに対応する０．３（リットル単位）を減算する（Ｓ１２４）。具体的には、操作釦６ｂが押下されると、図３に示されるＩ／Ｏポート２０６を介して制御部２００に０Ｖの電圧からなる信号が入力される。この０Ｖの信号を受信した制御部２００は、ＲＯＭ２０２ａに記憶された適宜なプログラムに基づいて、販売機構２０４に制御信号を出力して電磁弁２６ａ、２６ｂを所定時間開放しつつ、ポンプモータ２４を所定時間運転する。この所定時間は、販売機構２０４が当該時間内に前記の０．３リットルのスープを販売できるように予め設定されている。また、この所定時間はタイマ（不図示）によって計時される。このような販売動作とともに、制御部２００は、ＲＡＭ２０２ｂに記憶されている現データ「３．０」から０．３（リットル単位）を減算し、当該減算によって得たデータ２．７（＝３．０‐０．３）をＲＡＭ２０２ｂに書き込むとともに、ドライバ２１０を介して、液晶部１０に表示させる制御信号を出力する。以上の動作は、操作釦６ｂの押下毎に行なわれる。即ち、操作釦６ｂの押下毎に、Ｌサイズに相当するスープが販売され、「３．０」から０．３（リットル単位）だけ減算されるとともに、当該減算されて得たデータがＲＡＭ２０２ｂに記憶される。
【００５１】
前述と同様に、ステップＳ１１８において、操作釦６ａが押下されて、操作釦６ａの状態がオンであると判別されると（Ｓ１１８：ＹＥＳ）、制御部２００は、販売機構２０４を制御して、当該販売機構２０４にＳサイズに相当する例えば０．２リットルのスープを販売させる。これとともに、制御部２００は、液晶部１０に表示されている現データからＳサイズに対応する０．２（リットル単位）を減算する（Ｓ１２０）。
【００５２】
前述したスープの販売が繰り返されることによって、もし当該スープの残量が０．５リットルとなり、当該０．５（リットル単位）がＲＡＭ２０２ｂに記憶されると、前述した設定モードのステップＳ１０４において「０．５」がＲＡＭ２０２ｂからスープの残量として読み出される。
【００５３】
ステップＳ１２０又はＳ１２４における販売機構２０４による販売等の後、制御部２００は、ステップＳ１００に戻って、設定切換釦８の状態のオン又はオフの監視を再度開始する。
【００５４】
＝＝＝その他の実施の形態＝＝＝
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【００５５】
前述した実施の形態では、通常モードにおけるスープの販売量を、図２に示される電磁弁２６ａ、２６ｂの開放時間、並びにポンプモータ２４の運転時間をタイマ（不図示）によって計時して計量したが、これに限定されるものではない。例えば、図２に示されるスープ供給ライン３０において、タンク２０と電磁弁２６ａとの間に流量計（不図示）を配設し、スープの流量を直接計量してもよい。具体的には、流量計（不図示）中の回転子（不図示）がスープの流れによって回転するとき、当該回転によって生じるパルス電圧を制御部２００が検出し、当該パルス電圧のパルス数をカウンタ（不図示）によって計数する。この計数値はスープの販売量に比例する。
【００５６】
また、前述した実施の形態では、設定モードにおいて、図４に示されるステップＳ１０４でＲＡＭ２０２ｂから読み出すスープ量を通常モードにおけるスープの残量としたが、これに限定されるものではない。例えば、図６に示されるように、ステップＳ１０４でＲＡＭ２０２ｂから読み出す量を、以前の設定モードにおいて設定されたスープの満杯量としてもよい。例えば、店員が所望するスープの設定量が２．５リットルであるのに対し、スープの残量が０．５リットルであり、前記のスープの満杯量が３．０リットルであるときを考える。このとき、図６に示されるステップＳ１０６、Ｓ１０８、Ｓ１１４（ＮＯ）において３．０から０．１ずつ５回減算して２．５を得る方が、図４に示されるステップＳ１０６、Ｓ１１０、Ｓ１１２、Ｓ１１４（ＮＯ）において０．５に０．１ずつ２０回加算して２．５を得る場合に比べて、操作が容易である。
【００５７】
【発明の効果】
本発明によれば、操作釦の誤操作が防止され、表示される飲料情報の設定が容易で、製造コストの低い飲料供給装置を提供できる。
【図面の簡単な説明】
【図１】本発明の飲料供給装置の正面図の一例を示す図である。
【図２】本発明の飲料供給装置の販売機構の一例を示す図である。
【図３】本発明の飲料供給装置の操作釦切換手段の構成例を説明するためのブロック図である。
【図４】本発明の飲料供給装置の操作釦切換手段の動作例を説明するためのフローチャートである。
【図５】本発明の飲料供給装置のモード別の操作パネルの状態を説明するための図である。
【図６】本発明の飲料供給装置の操作釦切換手段のもう一つの動作例を説明するためのフローチャートである。
【図７】従来の飲料供給装置の正面図の一例を示す図である。
【符号の説明】
６ａ、６ｂ    操作釦
８            設定切換釦
９ａ、９ｂ、９ｃ、９ｄ、９ｅ  ＬＥＤ
１０          液晶部
２００        制御部
２０２ａ      ＲＯＭ
２０２ｂ      ＲＡＭ
２０４        販売機構
２０６        Ｉ／Ｏポート
２０８ａ、２０８ｂ、２０８ｃ、２０８ｄ、２０８ｅ、２１０  ドライバ
【図１】
2004331120.tif 000003
【図２】
2004331120.tif 000004
【図３】
2004331120.tif 000005
【図４】
2004331120.tif 000006
【図５】
2004331120.tif 000007
【図６】
2004331120.tif 000008
【図７】
2004331120.tif 000009